(57)【要約】【課題】  頁を一枚づつ確実に捲ることができるようにする。【解決手段】  綴じ目部Ｔｔを中心として開頁自在に綴じられた表紙Ｔａ及び中紙Ｔｎと、中紙Ｔｎ間に介在するように設けられた無線ＩＣカード９０と、この無線ＩＣカード９０を被覆し、綴じ目部Ｔｔに綴じられることにより無線ＩＣカード９０を保持するオーバーシート９１とを具備し、オーバーシート９１の摩擦係数の値を中紙Ｔｎの摩擦係数の値以上とする。【選択図】      図１２
2006256272.tif 000002
【特許請求の範囲】
【請求項１】
綴じ目部を中心として開頁自在に綴じられた表紙及び中紙と、
前記中紙間に介在するように設けられた無線ＩＣカードと、
この無線ＩＣカードを被覆し、前記綴じ目部に綴じられることにより前記無線ＩＣカードを保持する保持シートとを具備し、
前記保持シートの摩擦係数の値を前記中紙の摩擦係数の値以上としたことを特徴とする通帳類。
【請求項２】
前記保持シートは前記中紙と同一の素材によって構成されたことを特徴とする請求項１記載の通帳類。
【請求項３】
前記保持シートは表面に凹凸部を有することを特徴とする請求項１記載の通帳類。
【請求項４】
前記保持シートは表面に高摩擦印刷面を有することを特徴とする請求項１記載の通帳類。
【請求項５】
前記無線ＩＣカードの無線ＩＣはカード中心から所定距離変位して設けられたことを特徴とする請求項１記載の通帳類。
【請求項６】
予め通帳類それぞれに付与された固有情報が記録された無線ＩＣを内蔵する通帳類を搬送する搬送手段と、
この搬送手段によって搬送される通帳類の頁を捲る頁捲り手段と、
この頁捲り手段によって頁捲りされた通帳類の無線ＩＣに記録されている固有情報を無線で読み取る無線読取手段と、
前記通帳類の固有記載情報を入力する入力手段と、
この入力手段により入力された固有記載情報に基づいて前記通帳類に印刷情報を印刷する印刷手段と、
この印刷手段によって印刷された印刷情報を読み取る読取手段と、
この読取手段で読み取られた印刷情報と前記無線読取手段で読み取られた固有情報とが対応するか否かを判別する判別手段と、
この判別手段により対応すると判別されるのに基づいて印刷データを生成する生成手段と、
この生成手段によって生成された印刷データを前記無線ＩＣに書き込む無線書込手段と、
を具備することを特徴とする通帳類印刷装置。
【請求項７】
前記無線書込手段は前記判別手段により対応しないと判別されるのに基づいてその旨を前記無線ＩＣに書き込むことを特徴とする請求項６記載の通帳類印刷装置。
【発明の詳細な説明】
【技術分野】
【０００１】
本発明は、無線ＩＣカードを搭載する通帳類、及び通帳類印刷装置に関する。
【背景技術】
【０００２】
通帳類印刷装置には、所持人情報などの特定情報（セキュリティ情報）が印刷されるカード印刷物（例えばクレジットカード、健康保険証カード、電車定期券など）のセキュリティを考慮して、目視で確認できる印刷に加えて、ＩＣメモリを併用した電子的な情報による印刷情報の整合性を確認するものが、最近増えている。
【０００３】
特に、ＩＣメモリに非接触１Ｃ（無線１Ｃ）を採用した方式は、使用者の携帯状態が比較的自由であること、また、データ読み書き時の媒体保持姿勢の自由度が高いこと、さらに、接触式のコンタクト部汚れ等による不具合も回避できることなどのメリットが多く、採用例が増加している。
【０００４】
ところで、非接触１Ｃカードを搭載するＩＣ通帳類では、通帳類の中に非接触１Ｃカードが貼り付けられる。ＩＣ通帳類では、通帳形状の非接触１Ｃカードを通帳の中身用紙とともに綴じられるＰＥＴ−Ｇ等のオーバーシート（保持シート）に挟み込んで熱圧着する事によりＩＣ通帳に搭載している（例えば、特許文献１参照。）。
【特許文献１】特開２００１−２８７４７７号公報
【発明の開示】
【発明が解決しようとする課題】
【０００５】
ＩＣ通帳類の発行機において、非接触１Ｃが搭載されたＩＣ通帳類の普及はこれからだが、ＩＣカードが通帳中央に綴じ込まれたようなＩＣ通帳類では、表紙やページの自動ページめくり動作を行う場合に、オーバーシートとその直前用紙との摩擦力の違いによりオーバーシート以前の用紙が塊で捲りあがり、捲り動作ができない不具合が予想される。
【０００６】
また、ＩＣ通帳類ではＩＣ通帳類の変形により無線ＩＣが破損し、使用不能となる問題があった。
【０００７】
さらに、従来の通帳類発行機では、通帳固有の番号を通帳のページに印刷された固有の番号をＯＣＲにより読取っていたが、印刷された文字は印刷条件他によりかすれ、傷などの欠陥や、ＯＣＲ読み取りを行う光学系への汚れの付着等により、固有番号を読み間違える問題があった。
【０００８】
本発明は上記事情に着目してなされたもので、その目的とするところは、頁を一枚づつ確実に捲ることができ、また、通帳類の変形により無線ＩＣを損傷させることなく、しかも、通帳の固有情報を確実に読み取ることができるようにした通帳類、及び通帳類印刷装置を提供することを目的とする。
【課題を解決するための手段】
【０００９】
上記課題を解決するため、請求項１記載のものは、綴じ目部を中心として開頁自在に綴じられた表紙及び中紙と、前記中紙間に介在するように設けられた無線ＩＣカードと、この無線ＩＣカードを被覆し、前記綴じ目部に綴じられることにより前記無線ＩＣカードを保持する保持シートとを具備し、前記保持シートの摩擦係数の値を前記中紙の摩擦係数の値以上としたことを特徴とする。
【００１０】
請求項６記載のものは、予め通帳類それぞれに付与された固有情報が記録された無線ＩＣを内蔵する通帳類を搬送する搬送手段と、この搬送手段によって搬送される通帳類の頁を捲る頁捲り手段と、この頁捲り手段によって頁捲りされた通帳類の無線ＩＣに記録されている固有情報を無線で読み取る無線読取手段と、前記通帳類の固有記載情報を入力する入力手段と、この入力手段により入力された固有記載情報に基づいて前記通帳類に印刷情報を印刷する印刷手段と、この印刷手段によって印刷された印刷情報を読み取る読取手段と、この読取手段で読み取られた印刷情報と前記無線読取手段で読み取られた固有情報とが対応するか否かを判別する判別手段と、この判別手段により対応すると判別されるのに基づいて印刷データを生成する生成手段と、この生成手段によって生成された印刷データを前記無線ＩＣに書き込む無線書込手段とを具備することを特徴とする。
【発明の効果】
【００１１】
本発明によれば、頁を一枚づつ確実に捲ることができ、また、通帳類が変形してもその無線ＩＣを損傷させることがなく、しかも、通帳の固有情報を確実に読み取ることができる。
【発明を実施するための最良の形態】
【００１２】
以下、本発明を図面に示す実施の形態を参照して詳細に説明する。  
図１は本発明の一実施の形態である通帳類印刷装置１を示す全体構成図である。
【００１３】
この通帳類印刷装置１は通帳類取込部４を備え、この通帳類取込部４には通帳類Ｔが閉じた状態で複数冊積層されてセットされ、一冊づつ取り込まれるようになっている。この取込まれた通帳類Ｔは複数個の搬送ローラ対２によって搬送路３に沿って搬送される。搬送路３中には通帳類Ｔの搬送方向に沿って無線読み取り手段としてのＩＣ Ｒ／Ｗ５、頁捲り装置６、直接印刷部７、中間転写印刷部８、ＯＣＲ読取部９、ＩＣ Ｒ／Ｗユニット１０、及び通帳類折畳み部１４が配設されている。
【００１４】
また、搬送路３の排出端側には通帳類Ｔの排出方向を第１の方向と第２の方向に切り換える排出ゲート１１が設けられ、第１の方向には正常な通帳類Ｔを集積させる正常通帳集積部１２、第２の方向には不良な通帳類を集積させる不良通帳集積部１３が配設されている。
【００１５】
上記した通帳類取込部４は、複数の通帳類Ｔを重ねたまま投入可能であり、制御部の指示に応じて最も下側の１冊のみが取出手段であるピッカ（図示しない）によって取り出され、ＩＣ読取部５の方向に取り込まれる。
【００１６】
ＩＣ読取部５は、通帳類の後述するＩＣカードの無線ＩＣに書き込まれたＩＣ通帳固有のシリアル番号等の情報を非接触ＩＣ−Ｒ／Ｗで読取る。ここで読取ったＩＣ通帳固有のシリアル番号は後述するデータ入力制御部に送信され、さらに、図示しない上位のコンピュータに送信され、この通帳類の無線ＩＣに書き込むべきデータなどが検索されて印刷すべき情報が返信される。
【００１７】
この情報に基づいて印刷処理が行われるため、早く通帳類のシリアル番号を上位に伝送する必要から、ＩＣ読取り部５は通帳取込部の直後にある必要がある。
【００１８】
頁捲り装置６は、通帳類取込部４から取り込まれた通帳類Ｔの表紙を捲ったり、さらに内側の中紙をめくる機能を有する。めくった頁の認識は、通帳類Ｔに当初より印刷されているバーマークを、図示しないバーマークリーダで読み取ることで行う。
【００１９】
直接印刷部７は、印刷する通帳類Ｔの印刷頁表面上に、インクリボン７ｂ、サーマルヘッド７ａの順に押し当てて、サーマルヘッド７ａが選択的に発熱することで画像や文字を印刷する。この実施の形態では、中間転写印刷部８で印刷される情報に比べて、セキュリティ度合いが低い情報を直接印刷部７によって印刷する。
【００２０】
なお、通帳類Ｔの全てが直接印刷部７で印刷されるわけではなく、また、直接印刷部７で印刷される頁は、中間転写印刷部８で印刷される頁とは異なる。このため、直接印刷部７での印刷が発生した場合は、まず印刷する頁を頁捲り装置６で捲り出して直接印刷を行った後に、再度、頁捲り装置６に搬送して中間転写印刷を行う頁を捲り出す。直接印刷部７で印刷される情報がない場合は、通帳類Ｔは直接印刷部７を通過する。
【００２１】
図２は、上記した中間転写印刷部８を示すものである。
【００２２】
中間転写印刷部８は機能的に情報印刷部（以下、印刷部という）１６と、オーバーコート転写部（以下、転写部という）１７とを有して構成されている。
【００２３】
印刷部１６としては熱溶融転写印刷方式のものが採用されている。即ち、サーマルヘッド１９とプラテンローラ２０との間に挟まれるように溶融インクリボン２２と中間転写フィルム２１とを配置し、サーマルヘッド１９により溶融インクリボン２２のインクを中間転写フィルム２１の表面に転写して情報等を印刷する。
【００２４】
この熱溶融転写方式の特徴としては、画像耐久性が高いこと、インク材料に機能性材料を適用することが比較的容易なこと（例えば蛍光顔料、アルミ蒸着薄膜）などがあり、偽造防止を目的とする印刷物に適している。
【００２５】
溶融インクリボン２２のベースフィルム厚やインク層厚は、印刷ドット再現性に極めて重要なパラメータであり、インクリボン層厚としては３〜２５μｍであり、望ましくは４〜１０μｍである。
【００２６】
一方、中間転写フィルム２１の後述するベースフィルムの厚さや、受像兼接着層厚は、接着性や膜切れ特性に影響を与えるパラメータであり、中間転写フィルム２１の層厚は、１０〜１００μｍであり、望ましくは２５〜５０μｍである。
【００２７】
プラテンローラ２０は硬質のゴム材料を表面に用いたローラで、ゴム硬度が上がるほどに微小ドットの再現性が向上するが、同時に最適なプラテンローラ２０とサーマルヘッド１９の位置関係を得ることが難しくなる。このため、硬度は７５°以上、望ましくは８５〜９７°である。同時に研磨したゴム表面の表面粗さも、表面平滑性が上がるほどに微小ドットの再現性が向上する。このため、表面粗さは中心線平均粗さＲａで１μｍ以下、望ましくは０．５μｍ程度であることが要求される。
【００２８】
中間転写フィルム２１を搬送する駆動力は、一般的にプラテンローラ２０に駆動機構を設けることが多いが、上記の硬度と平滑性から中間転写フィルム２１とプラテンローラ２０の摩擦係数が上がらず、また安定しない。このため、プラテンローラ２０の下流（ヒートローラ側）直近に別途フィルム駆動ローラ２３を設ける。フィルム駆動ローラ２３は硬度３０〜６０度のローラを用い、中間転写フィルム２１はフィルム駆動ローラ２３に対して出来るだけ巻付き角が大きいほうが良い。実施例では９０°から１３０°の巻き付き角をえられるようにテンショナ２４を配置する。
【００２９】
テンショナ２４には図示しないバネ機構が設けられ、限られた可動範囲内で中間転写フィルム２１にテンションを与えて、フィルム駆動ローラ２３と中間転写フィルム２１が常に適切に接触する状態を作り出す。フィルム駆動ローラ２３の駆動は５相ステッピングモータ、タイミングベルト、プーリによる減速機構の組み合わせにより、正確に搬送が行われる。また、サーマルヘッド１９はニアエッジ、またはコーナエッジタイプのヘッドを用い、熱時剥離による印刷を行うことが望ましい。
【００３０】
また、転写部１７は通帳類搬送路３を介して対向配置されるヒートローラ３５とバックアップローラ３６を備えている。ヒートローラ３５はＤＣサーボモータ若しくはステッピングモータにより正確に一定速度で駆動可能になっており、回転自在なバックアップローラ３６との間にはコイルバネ３７で発生された圧力が付与されるようになっている。
【００３１】
図３（ａ）〜（ｃ）は中間転写フィルム２１の構成を示す断面図である。
【００３２】
図３（ａ）に示す中間転写フィルム２１は、基材としてのポリエチレンテレフタレート（以下、ＰＥＴという）のフィルム２６の表面に、透明樹脂によるホログラム形成層と金属化合物の蒸着層による透明ホログラム層２８、受像層兼接着層としてのポリエステル系樹脂２９を積層したものである。
【００３３】
また、図３（ｂ）に示す中間転写フィルム２１は、基材としてのＰＥＴフィルム２６の表面に、剥離層としてのフェノキシ系樹脂２７、透明樹脂によるホログラム形成層と金属化合物の蒸着層による透明ホログラム層２８、受像層兼接着層としてのポリエステル系樹脂２９を積層したものである。
【００３４】
さらに、図３（ｃ）に示す中間転写フィルム２１は、基材としてのＰＥＴフィルム２６の表面に、剥離層としてのフェノキシ系樹脂２７、保護層３０、透明樹脂によるホログラム形成層と金属化合物の蒸着層による透明ホログラム層２８、受像層兼接着層としてのポリエステル系樹脂２９を積層したものである。
【００３５】
その他、中間転写フィルム２１としては紫外線によって発光する蛍光発色層などの機能層を設け、転写対象への転写と同時にこれらの機能層も転写するものであってもよい。
【００３６】
図４は上記した通帳類取込部４にセットされる通帳類Ｔを開いた状態で示すものである。
【００３７】
この通帳類Ｔは表紙Ｔａを有し、この表紙Ｔａには綴じ目部Ｔｔを介して複数枚の中紙Ｔｎ、及び後で詳しく述べるＩＣカードが綴じ込められている。中紙Ｔｎには通帳類固有情報としての通帳類固有番号４２が記録されている。
【００３８】
図５は上記した通帳類印刷装置１の駆動制御系を示すブロック図である。
【００３９】
図中５１はデータ入力制御部で、このデータ入力制御部５１に印刷装置１が接続されている。データ入力制御部５１には主制御部５２が設けられ、この主制御部５２には制御回路を介してメモリ５３、インターフエース部５４、操作パネル５５、及び画像入力部５６が接続されている。
【００４０】
印刷装置１には生成手段としての生成部５８ａ及び判別手段としての判別部５８ｂを有して構成される装置制御部５８が設けられ、この装置制御部５８には制御回路を介して直接印刷画像処理部６７、中間転写画像処理部６８、ヒータ温度制御部６０、通帳類搬送制御部６１、画像形成制御部６２、光学式文字認識部６９、無線読取／書込部７３が配設されている。
【００４１】
上記した直接印刷画像処理部６７にはサーマルヘッド７ａの印字動作を制御するヘッド制御部６３が接続されている。中間転写画像処理部６６にはサーマルヘッド１９の印字動作を制御するヘッド制御部６４が接続されている。
【００４２】
ヒータ温度制御部６０には制御回路を介してヒートローラ３５のヒータ６５が接続されている。通帳類搬送制御部６１には制御回路を介して通帳類搬送機構２Ａ、通帳類取込機構４ａ、頁検知部６ｂ、頁捲り機構６ａ及び排出ゲート制御部１１ａが接続されている。
【００４３】
画像形成制御部６２には制御回路を介して転写リボン搬送機構３２ａ、サーマルヘッド１９を移動させるヘッド移動機構１９ａ、ヒートローラ３５を回転させる回転機構３５ａが接続されている。
【００４４】
光学式文字認識部６９には読取り光学系９が接続されている。無線ＩＣ読取／書込部７３には、ＩＣ読取部５、及び無線ＩＣ Ｒ／Ｗユニット１０が接続されている。
【００４５】
次に、上記したように構成される通帳類印刷装置１の動作について説明する。
【００４６】
まず、図１に示す通帳類取込部４から通帳類Ｔを１冊づつ取出してＩＣ読取部５へ搬送する。このＩＣ読取部５で通帳類の後述するＩＣカードに書き込まれた通帳固有のシリアル番号等を非接触ＩＣ−Ｒ／Ｗで読取る。ここで読取ったＩＣ通帳固有のシリアル番号は後述するデータ入後述するデータ入力制御部に送信され、さらに、図示しない上位のコンピュータに送信され、このＩＣ通帳に書き込むべきデータなどが検索されて印刷すべき情報が返信される。
【００４７】
通帳固有のシリアル番号等が読み取られた通帳類は、頁捲り部６に搬送され、ここで、通帳類Ｔのページが捲られて所定のページが開いた状態となる。
【００４８】
一方、印刷装置制御部５８には、画像入力部５６で取得された所持人のカラー顔画像データ、操作パネル５５で入力された所持人のセキュリティ文字情報が送信されてくる。
【００４９】
この印刷装置制御部５８に送信された所持人のカラー顔画像データ、所持人のセキュリティ文字情報、さらに、ＩＣ読取部５で読み取られた通帳固有のシリアル番号に基づいて生成部５８ａで印刷データが生成され、中間転写画像処理部６８に送信される。
【００５０】
中間転写画像処理部６８では、この印刷データに基づいてサーマルヘッド１９を動作させてＹ（イエロー），Ｍ（マゼンタ），Ｃ（シアン）の三原色のインクに加えて黒インクの４色を重ね合せて所持人の顔画像を中間転写フィルム２１の表面にカラー印刷する。これら複数色のインクの重ね合わせによる印刷は、中間転写フィルム２１がサーマルヘッド１９をインクの色数と同じ回数往復することで行われる。また、印刷される情報は、反転画像であるという特徴がある。なお、印刷色は上記４色のインクに加えて、蛍光顔料を含んだインクなど機能性インクを付与してもよい。
【００５１】
この所持人の顔画像のカラー印刷後、通帳固有のシリアル番号情報が付与されたセキュリティ情報が中間転写フィルム２１の表面にサーマルヘッド１９により印刷される。
【００５２】
このようにカラー顔画像、及び通帳固有情報が付与されたセキュリティ情報が印刷された中間転写フィルム２１は順方向（ヒートローラ３５の方向）に巻き取られ、図６（ａ）に示すように経路途中の転写部マーク検知センサ３９によって中間転写フィルム２１の位置が把握される。この把握結果に基づいて転写開始位置まで中間転写フィルム２１が送られる。
【００５３】
また、このとき通帳類Ｔは、転写される頁が開かれた状態で図６（ｂ）に示すように取り込まれて、ヒートローラ３５に対して決められた位置に搬送される。転写される頁は、表紙見返し頁でも、他の中紙頁でもかまわない。
【００５４】
このように互いに位置決めされた中間転写フィルム２１と通帳類Ｔの該当ベージは、図６（ｃ）に示すように円周の一部が切り欠かれた形状の金属製のヒートローラ３５の回転と共に合わされ、搬送と同時に加圧されるとともに加熱される。その後、図７に示すように通帳類Ｔに対して６０°〜１１０°の角度をもって転写フィルムベース２６が引き上げられて、固有印刷情報と受像兼接着層２９、ホログラム層２８の転写が完了し、図８に示すように固有情報４２ａが転写されたものを含み、数字、文字、記号、バーコード等からなるセキュリティ情報４６及び所持人のカラー顔画像４４が転写される。転写が完了した通帳類Ｔは、図６（ｄ）に示すように頁が開かれた状態のまま次のＯＣＲ読取部９に搬送される。
【００５５】
このＯＣＲ読取部９で通帳固有情報４２ａとセキュリティ情報４６が読み取られる。この読み取られた通帳固有情報４２ａとセキュリティ情報４６は、光学式文字認識部６９で認識され、この認識結果が印刷装置制御部５８に送信される。印刷装置制御部５８の判別部５８ｂではこの送信されたデータとＩＣ読取部５によって読み取られた通帳固有情報との照合処理を行い、判断した結果を通帳類搬送制御部６１に送信する。
【００５６】
判別部５８ｂでのデータの照合結果で不良と判断された場合には、印刷装置制御部５８からデータ入力制御部５１、及び無線ＩＣ 読取書込部７３に対し、作成した通帳類が不良であったことを通知する。
【００５７】
データ入力制御部５１では作成された通帳類が不良であったという通知を受信することに基づいて再度同一の印刷処理命令を印刷装置制御部５８に送信し、自動的に通帳類の再作成を行わせる。
【００５８】
ＯＣＲ読取部９を通過した通帳類Ｔは折畳み部１４に送られて折り畳まれたのち、無線ＩＣ Ｒ／Ｗ部１０へ送られる。通帳類が不良の場合には無線ＩＣ Ｒ／Ｗユニット１０により不良である旨のデータが通帳類Ｔの後述する無線ＩＣ１０１に記録される。
【００５９】
一方、上記したデータの照合結果が正しかった場合には、印刷装置制御部５８の生成部５８ａで生成された印刷データに基づいて後述する無線ＩＣ１０１への記録データが生成され、無線ＩＣ Ｒ／Ｗ制御部７３に送信される。この送信に基づき無線ＩＣＲ／Ｗユニット１０により通帳類固有情報が付与されたセキュリティ情報を通帳類Ｔの後述する無線ＩＣ１０１に記録（書き込み）する。
【００６０】
無線ＩＣＲ／Ｗユニット１０で、無線ＩＣ１０１に情報が記録された正常通帳類は排出ゲート１１の動作により正常通帳集積部１２へ排出され、不良通帳類は不良通帳類類集積部１３へ排出されてそれぞれ集積される。
【００６１】
ところで、図９は、上記した頁捲り装置６の頁捲り動作を示すものである。
【００６２】
この通帳類捲り装置は、図９（ａ）に示すように捲り位置に搬送されてくる通帳類Ｔの綴目部Ｔｔ側を搬送ローラ対２ａ，２ｂによりクランプした状態で、ローラアーム８４と通帳押上ガイド８３を回動させて傾斜させる。この通帳押上ガイド８３の回動によって通帳類Ｔが押し上げられてカールされ、捲りローラ８１に押し上げられる。この状態から図９（ｂ）に示すように捲りローラ８１が時計方向に回転されて一番上位側の表紙Ｔａの捲りが開始されて湾曲状にされる。こののち、図９（ｃ）に示すように、ローラアーム８４が逆方向に回動されてその捲りローラ８１で湾曲状の表紙Ｔａを押し上げ、さらに、捲りローラ８１が回転することにより、図９（ｄ）に示すように表紙Ｔａの先端が捲りローラ８１によって持ち上げられ、ついには、図９（ｅ）に示すように表紙Ｔａの先端部が反発力によりが捲りローラ１０１上側に乗り上がる。しかるのち、図９（ｆ）に示すようにローラアーム８４の左方向への回動して捲りローラ８１が移動し停止する。この状態から通帳類Ｔが搬送ローラ対２ｃ，２ｄの回転によって右方向に搬送されて、図９（ｇ）に示すように通帳類Ｔの捲りを完了する。
【００６３】
上記した頁捲り動作において、捲られる表紙Ｔａ以外についても通帳押上ガイド８３でカールさせられることが分かる。この通帳押上ガイド８３によるカールを行なうことで、頁捲り時の最上ページ（ここでは表紙）の移動開始搬送力を低減でき、また、２枚捲りを防止できる、などの効果がある。
【００６４】
このため、捲り対象のページ（ここでは表紙）の曲げこわさがある程度低いことは当然であるが、通帳押上ガイド８３でのカール発生を可能にするため、その他の下側のページ全体についても、カールを許容する低い曲げこわさである必要がある。
【００６５】
図１０は、上記した通帳類Ｔを開いた状態を示す斜視図で、図１１はその側面図である。
【００６６】
通帳類Ｔは表紙Ｔａと、複数枚の中紙Ｔｎを有するとともに、ＩＣカード９０を有している。これら表紙Ｔａと、中紙Ｔｎと、ＩＣカード９０の後述する保持シートとは綴じ目部Ｔｔを介して綴じられ、この綴じ目部Ｔｔを中心にして開頁されるようになっている。
【００６７】
図１２は、通帳類Ｔの作成方法を示す側面図である。
【００６８】
まず、複数の中紙Ｔｎと保持シートとしてのオーバーシート９１を重ね合わせ、これら中紙Ｔｎとオーバーシート９１の中央部を綴じ糸９２により一体に縫い込んで、通帳類の中身を完成させる。
【００６９】
ついで、この中身の綴じ目部Ｔｔに接着材を塗布し、この接着剤を塗布した綴じ目部Ｔｔを表紙Ｔａの中央部に接着してＩＣの無い状態の通帳を完成する。こののち、オーバーシート９１の内面側に接着剤を塗布してその綴じ目部から折り曲げる。そして、この折り曲げたオーバーシート９１間にＩＣカード９０を挿入してその両面部にオーバーシート９１を接着させて外周をカッタ等で切り揃える事によりＩＣを搭載した通帳類Ｔが完成する。
【００７０】
図１３は上記した通帳類の頁捲り動作時に発生する摩擦力を示すものである。
【００７１】
例えば、表紙Ｔａを捲るために表紙Ｔａに捲りローラ８１を押し付けて回転させた場合、ＩＣカード９０のオーバーシート９１とこのオーバーシート９１に接触している中紙Ｔｎとの間に発生する摩擦係数μｎが中紙Ｔｎ間に発生する摩擦係数μ１，２，３・・より小さいと、捲ろうとする表紙Ｔａだけではなく、オーバーシート９１と表紙Ｔａとの間に存在する中紙Ｔｎが塊となって膨らみ、捲りを正常に行えないという問題がある。
【００７２】
通帳類Ｔの中紙Ｔｎ間の摩擦係数μは通常０．２〜０．３程度であり、例えばオーバーシート９１をＰＥＴ等の樹脂とした場合、中紙Ｔｎとの摩擦係数μは０．１〜０．１５である。
【００７３】
各中紙Ｔｎの座屈の抗力を０とした場合、捲りローラ８１を通帳類Ｔに押し付けて表紙Ｔａを捲る力Ｆ、ＦμＨに対して、通帳類Ｔの各ページには中紙Ｔｎ間で滑るのを妨げる方向の力Ｆμ１（〜ｎ）が発生する。このとき、オーバーシート９１と中紙Ｔｎ−ｎと間の摩擦係数μｎが、他の中紙Ｔｎ１（〜ｎ−１）間の摩擦係数よりも小さいと、オーバーシート９１と中紙Ｔｎ−ｎとの間でずれが発生し、中紙Ｔｎ−ｎより上側の中紙１（〜ｎ−１）が塊で捲り上がることとなる。
【００７４】
そこで、本発明においては、ＩＣカード９０を通帳類Ｔに綴じるためのオーバーシート９１の摩擦係数の値を中紙Ｔｎ間の摩擦係数の値以上とする。
【００７５】
具体的には、オーバーシート９１の素材として中紙Ｔｎの素材と同じ素材を用いる。或いは、ＰＥＴ製のオーバーシート９１の表面に中紙Ｔｎの素材と同じ素材を貼り付ける。または、オーバーシート９１の表面に熱圧着により凹凸模様を形成して摩擦係数を増大させる。さらには、オーバーシート９１の表面に微小な穎粒状の塊を入れたインクで印刷を施して摩擦係数を高める等である。
【００７６】
これにより、オーバーシート９１と中紙Ｔｎ−ｎとの間でのずれの発生を抑制でき、中紙Ｔｎ−ｎより上側の中紙１（〜ｎ−１）が塊で捲り上がることを防止できる。
【００７７】
一方、通帳類Ｔは、ポケット、かばん等に入れられ、通常のクレジットカード等のように大切に扱われない場合が多く、例えばズボンのポケットなどに入れられることがある。この場合には、通帳類に大きな曲げの力が働くため、ＩＣカード９０に過大な応力が働き、ＩＣがＩＣカード９０の中心部に搭載されていると、ＩＣが破損する虞がある。
【００７８】
そこで、本発明では、通帳類Ｔが大きく曲げられた場合でも、ＩＣカード９０のＩＣに最も大きな応力が加わる事を避けるようにＩＣカード９０を構成した。
【００７９】
図１４は、１Ｃカード９０を示す平面図で、図１５はその側断面図である。
【００８０】
１Ｃカード９０は、０．７６ｍｍ程度の厚さで、以下に示す層構成となっている。
【００８１】
即ち、１Ｃカード９０は、ＰＥＴ等の樹脂からなるカード基材１０６と、ＰＥＴなどからなるベースフィルム１０３と、ベースフィルム１０３上に金属を蒸着した柔軟性の高いアンテナ１０２と、塑性材料で構成される無線ＩＣ１０１と、このＩＣ１０１を施封する施封材１０９と、ＩＣ１０１を補強する補強金属板１０５を有する構造となっている。
【００８２】
カード基材１０６には、樹脂（ＰＥＴ等）などが用いられ、その厚みはＩＣ構成部の厚さなどに決定される。
【００８３】
ＩＣ１０１は、製造方法等にもよるが、大きさ４〜５ｍｍ角、厚さ８０〜１５０μｍが一般的で、８ＫＢから１ＭＢ程度の記憶容量を想定する。そして、この無線ＩＣ１０１はＩＣカード９０の中心Ｃから所定距離変位されている。
【００８４】
アンテナ１０２は、厚さ２０〜５０μｍ程度である。
【００８５】
ベースフィルム１０３は、ＰＥＴ厚さ２０〜５０μｍ程度である。
【００８６】
補強用金属板１０５は、厚さ５０〜２００μｍ程度のステンレス材やアルミ材が用いられる。
【００８７】
このように構成されるＩＣカード９０には、曲げの力が加わった場合、弾性材料であるカード基材１０６、べ一スフィルム１０３、アンテナ１０２等はたわみ曲線に従ってたわむ事が可能であるが、ＩＣ１０１は塑性材料であるため変形できず、曲げが大きいと過剰な応力がＩＣ１０１に作用し破損し、ＩＣ１０１が破損する可能性が高い。
【００８８】
しかしながら、上記したようにＩＣ１０１をＩＣカード９０の中心Ｃから所定距離変位して設けるため、通帳類Ｔが曲げられた場合でも、ＩＣ１０１に大きな応力が加わる事を避けることができ、その損傷を防止することができる。
【００８９】
なお、１Ｃカード９０のベースフィルムはＪＩＳ・ＩＳ０等で規定されたＩＣカードの大きさのものを利用し、通帳サイズのカード基材１０６に封入する段階で、ＩＣ１０１を通帳類の中心位置からずれた位置となるように配置する事も可能である。
【００９０】
その他、本発明は、要旨の範囲内で種々変形実施可能なことは勿論である。
【図面の簡単な説明】
【００９１】
【図１】本発明の一実施の形態である通帳類印刷装置を概略的に示す構成図。
【図２】同通帳類印刷装置に備えられる転写印刷部を示す構成図。
【図３】同転写印刷部で用いられる転写フィルムを示すもので、（ａ）はその第１の例、（ｂ）はその第２の例、（ｃ）はその第３の例を示す構成図。
【図４】同通帳類印刷装置で印刷される通帳類を開いた状態で示す平面図。
【図５】同通帳類印刷装置の制御部を示すブロック図。
【図６】同転写印刷部の転写動作を示す図。
【図７】同転写印刷部の転写動作の一部を拡大して示す図。
【図８】同転写印刷部で印刷された通帳類を示す平面図。
【図９】同頁捲り装置の頁捲り動作を示す図。
【図１０】同通帳類が開頁された状態を示す斜視図。
【図１１】図１０の通帳類を示す正面図。
【図１２】図１０の通帳類の作成方法を示す図。
【図１３】図１０の通帳類の頁捲り動作時に頁に発生する摩擦力を示す図。
【図１４】同ＩＣカードを示す平面図。
【図１５】同ＩＣカードを示す側面図。
【符号の説明】
【００９２】
２ａ〜２ｄ…搬送ローラ対（搬送手段）、６…頁捲り装置（頁捲り手段）、８…中間転写印刷部（印刷手段）、９…ＯＣＲ（読取手段）、１０…ＩＣ Ｒ／Ｗ（無線書込手段）、５１…データ入力制御部（入力手段）、５８ｂ…判別部（判別手段）、５８ａ…生成部（生成手段）、Ｔｔ…綴じ目部、Ｔａ…表紙、Ｔｎ…中紙、９０…無線ＩＣカード、９１…オーバーシート（保持シート）、１０５…無線ＩＣ。
【図１】
2006256272.tif 000003
【図２】
2006256272.tif 000004
【図３】
2006256272.tif 000005
【図４】
2006256272.tif 000006
【図５】
2006256272.tif 000007
【図６】
2006256272.tif 000008
【図７】
2006256272.tif 000009
【図８】
2006256272.tif 000010
【図９】
2006256272.tif 000011
【図１０】
2006256272.tif 000012
【図１１】
2006256272.tif 000013
【図１２】
2006256272.tif 000014
【図１３】
2006256272.tif 000015
【図１４】
2006256272.tif 000016
【図１５】
2006256272.tif 000017